(57)【要約】【課題】首および胸の筋肉や腱に過度の負荷をかけることなく胸部のストレッチが行えるようにする。【解決手段】下面が平坦な枕２と、上半身を支持することが可能な長さを有するクッション性のあるマット本体３とから成るものである。前記マット本体３は、上面が平坦な枕支持部３０と、上面が山形に隆起する背当て部３１とを有し、前記枕２と前記枕支持部３０との間には、枕２を枕支持部３０上に定置するための固定手段として面ファスナ２４，３２が設けられている。前記枕２の上面には、後頭部を支持するための平坦な頭部支持面２０と、首部を支持するための凸状の首部支持面２１とが形成されている。【選択図】図１
2007159818.tif 000002
【特許請求の範囲】
【請求項１】
下面が平坦な枕と、上半身を支持することが可能な長さを有するクッション性のあるマット本体とから成るストレッチマットであって、
前記マット本体は、上面が平坦な枕支持部と、上面が山形に隆起する背当て部とを有し、前記枕と前記枕支持部との間には、枕を枕支持部上に定置するための固定手段が設けられて成るストレッチマット。
【請求項２】
前記枕の上面には、後頭部を支持するための平坦な頭部支持面と首部を支持するための凸状の首部支持面とが形成されている請求項１に記載されたストレッチマット。
【請求項３】
前記固定手段は、枕の両側面より突出させた帯状布の先端部に面ファスナを取り付けるとともに、前記枕支持部の両側面に前記面ファスナと噛み合う面ファスナを枕支持部の全長にわたり取り付けることにより形成されている請求項１に記載されたストレッチマット。
【発明の詳細な説明】
【技術分野】
【０００１】
この発明は、首および胸の筋肉や腱に過度の負荷をかけずに胸部のストレッチを行うためのストレッチマットに関する。
【背景技術】
【０００２】
従来、胸部のストレッチを行うための整体用器具として、全体がＴ字形から成るパッド材であって、適当な硬さとクッション性を有するものが提案されている。前記パッド材は、長方形状の低位部と、低位部の一端部に直交して形成された長方形状の高位部とから成るものである（例えば特許文献１参照）。
【０００３】
【特許文献１】特開２００２−３２５７８４号公報
【０００４】
上記構成の整体用器具により、胸部のストレッチを行うには、低位部の左右の両側端部が使用者の肩甲骨間に当接し、高位部が腰部の位置に当接するように整体用器具上に仰向けに横たわる。仰臥時に脊柱が低位部に乗ることにより、肩と胸が張って脊柱が伸ばされ、人体機能の正常化が図られる。
【発明の開示】
【発明が解決しようとする課題】
【０００５】
しかしながら、上記した構成の整体用器具では、胸部を載置する低位部の高さが低すぎると、肩や胸が左右に開かず、肩と胸が張り出されないため、所期の効果が得られない。逆に、低位部が高すぎる場合は、頭部と胸部の段差が大きくなり、首全体がのけぞるため、胸全体が極端に牽引された状態となり、頚椎に圧迫感があり、首および胸の筋肉や腱に過度の負荷がかかる。
【０００６】
この発明は、上記した問題に着目してなされたもので、首および胸の筋肉や腱に過度の負荷をかけずに胸部のストレッチを行うことが可能なストレッチマットを提供することを目的とする。
【課題を解決するための手段】
【０００７】
この発明によるストレッチマットは、下面が平坦な枕と、上半身を支持することが可能な長さを有するクッション性のあるマット本体とから成るものである。前記マット本体は、上面が平坦な枕支持部と、上面が山形に隆起する背当て部とを有し、前記枕と前記枕支持部との間には、枕を枕支持部上に定置するための固定手段が設けられている。
【０００８】
この発明によるストレッチマットによって、胸部のストレッチを行うには、まず、使用者はストレッチマットを水平な面上に設置した後、その上に仰向けに上半身を横たえる。使用者の背中部をマット本体の背当て部に当接させ、その状態で体を頭側と足側とに適度に移動させて体重移動を行う。このストレッチマットはクッション性を有し、背当て部が山形に隆起しているので、使用者の両肩が自重により下がり、胸全体が左右に広げられる。その結果、肺を覆う胸部全体の筋肉および腱の可動域が適度に広げられて胸郭が開放され、これにより、スムーズな呼吸の誘導および呼吸酸素量のアップを図るための胸部のストレッチが行える。また、マット本体の枕支持部上に、枕を使用者の頭部を支える位置に固定手段により定置することで、使用者の頭部および首部が枕により支えられるので、首全体が極端にのけぞることがなく、首および胸の筋肉や腱に過度の負担をかけずに胸部のストレッチが行える。
【０００９】
この発明の好ましい一実施態様においては、前記枕の上面には、後頭部を支持するための平坦な頭部支持面と首部を支持するための凸状の首部支持面とが形成されている。
この実施態様によると、枕の上面に後頭部を支持するための平坦な頭部支持面と首部を支持するための凸状の首部支持面とが形成されているので、使用者がストレッチマット上に仰向けに横たわった場合に、前記枕の頭部支持面および首部支持面が使用者の後頭部および首部の形状に沿い、頚椎への圧迫が抑えられて、頚椎が理想的な自然状態に保たれる。
【００１０】
この発明のさらに好ましい一実施態様においては、前記固定手段は、枕の両側面より突出させた帯状布の先端部に面ファスナを取り付けるとともに、前記枕支持部の両側面に前記面ファスナと噛み合う面ファスナを枕支持部の全長にわたり取り付けることにより形成されている。
この実施態様によれば、枕の両側面より突出させた帯状布の先端部に取り付けられた面ファスナと枕支持部の全長にわたり取り付けられている面ファスナとを噛み合わせることで、マット本体に対する枕の着脱を容易に行うことができるので、枕を使用者の身長に応じて頭方向または足方向へ移動させて位置決めすることができる。さらに、枕とマット本体とを分離できるので、それ単体で、枕は首部のストレッチに、マット本体は胸部または腰部のストレッチに、それぞれ用いるなど、種々の使用法が可能である。
【発明の効果】
【００１１】
この発明によれば、極端に首全体がのけぞったり、首の上部に圧迫を起こすことがないので、首や胸の筋肉および腱に過度な負荷をかけることなく胸部のストレッチを行うことができる。また、マット本体に対して枕を容易に着脱できるので、使用者の身長に応じて枕をマット本体の適所に取り付けることが可能であるとともに、枕またはマット本体単体で、首部または胸部、腰部のストレッチを行うことができる。
【発明を実施するための最良の形態】
【００１２】
図１および図２は、この発明の一実施例であるストレッチマット１の外観を示している。
図示例のストレッチマット１は、クッション性のある枕２と、使用者５の上半身を支持することが可能な長さを有するクッション性のあるマット本体３とから成る。
【００１３】
前記枕２の上面には、使用者５の後頭部を支持するための平坦な頭部支持面２０と、首部を支持するための首部支持面２１とが一連に形成されたものであり、前記首部支持面２１は頭部支持面２０に対して上方へ突出している。枕２の下面は、平坦な底面部２２となっており、水平面上に安定支持される。この実施例の首部支持面２１は、図５に示すように、人の後頭部５０から首部５１にわたる形状に近似した形状に形成されており、使用者５の頭部５０および首部５１の重みに応じて頭部支持面２０および首部支持面２１が適度に変形するような硬さとクッション性を有する材料、例えば、ウレタンフォーム等の合成樹脂発泡材を用いて、枕２が形成されている。
【００１４】
枕２の両側面には、図４に示すように、帯状布２３が突出させてあり、その先端部の内面には面ファスナ２４が取り付けられている。この面ファスナ２４は、後述するマット本体３の枕支持部３０の両側面に取り付けられた面ファスナ３２と噛み合わせることで枕２をマット本体３上に位置決め固定する。
【００１５】
前記マット本体３は、上面が平坦な枕支持部３０と、上面が山形に隆起する背当て部３１とを有しており、使用者５がマット本体３上に横たわった場合に、その上半身を支持することが可能な長さおよび幅に形成されている。
【００１６】
前記枕支持部３０は、その上面が平坦な長方形状であり、枕２をその上面に定置させる。この枕支持部３０の長さは、使用者５の身長に応じて枕２の固定位置を移動できるように、枕２の長さよりも大きな値に設定されている。
【００１７】
前記背当て部３１は、図２に示すように、縦方向の断面形状が中央に高く上面が全長にわたって湾曲するような凸形状に形成され、胸部５２を高く押し上げることが可能な形状となっている。また、背当て部３１の横方向の断面形状も、図３に示すように、中央が高く上面が全長にわたって湾曲するような凸形状に形成され、胸部５２を高く押し上げる形状となっている。
【００１８】
前記背当て部３１の上面には、幅中央部を長さ方向に延びる溝３２が形成されている。この溝３２は、図６に示すように、使用者５の背骨５３がマット本体３の表面に当たらないように逃がすためのものである。
【００１９】
上記したマット本体３は、適度な硬さとクッション性を有する材料、例えば、ウレタンフォーム等の柔軟な合成樹脂発泡材を用いて形成されている。
【００２０】
前記枕支持部３０の両側面には、図４に示すように、枕２を枕支持部３０上に固定するための面ファスナ３２が設けられている。前記面ファスナ３２は、枕２の両側面より突出させた帯状布２３に取り付けられた面ファスナ２４と噛み合うもので、これにより枕２とマット本体３とが着脱可能となっている。前記面ファスナ３２は枕支持部３０の全長にわたり取り付けられており、使用者５の身長に応じて枕支持部３０の適所に枕２を位置決めすることができる。
【００２１】
上記した構成のストレッチマット１によって胸部のストレッチを行うには、図５に示すように、使用者５はストレッチマット１を水平な面上に設置した後、その上に仰向けに上半身を横たえる。つぎに、背中部５４をマット本体３の背当て部３１に当接させ、体を頭側と足側とに適度に移動させて体重移動を行う。枕２はマット本体３の枕支持部３０上に定置し、枕２の頭部支持面２０に頭部５０を、首部支持面２１に首部５１を載せる。枕２の固定は、両側面より突出する帯状布２３に取り付けられた面ファスナ２４を枕支持部３０の両側面に取り付けられた面ファスナ３２に噛み合わせることにより行う。
【００２２】
このストレッチマット１はクッション性を有し、背当て部３１が山形に隆起しているので、図６に示すように、使用者５の両肩部５６が自重により下がり、胸部５２全体が左右に広げられる。その結果、肺を覆う胸全体の筋肉および腱の可動域が適度に広げられて胸郭が開放され、これによりスムーズな呼吸の誘導および呼吸酸素量のアップを図るための胸部５２のストレッチが行える。この際、使用者５の頭部５０および首部５１が枕２により支えられるので、首全体が極端にのけぞることがなく、首および胸の筋肉や腱に過度の負担がかからない。また、背当て部３２の幅中央部には縦方向に溝３３が形成されているので、使用者５がストレッチマット１上に仰向けに横たわった場合に、背骨５３がマット本体３により圧迫されることがない。
【００２３】
さらに、枕２は、適度なクッション性を有しており、使用者５の頭部５０と首部５１とが深く沈み込むことなく支持されるとともに、頭部支持面２０および首部支持面２１が使用者５の後頭部から首部の形状に沿うので、頚椎５５への圧迫が抑えられて理想的な自然状態に保たれ、首全体への負担を極力抑えることができる。
【００２４】
なお、枕２とマット本体３との着脱が容易であるので、枕２およびマット本体３を単体で、例えば、枕２は首部のストレッチに、マット本体３は胸部または腰部のストレッチに用いるなど、種々の使用法が可能である。
【図面の簡単な説明】
【００２５】
【図１】この発明の一実施例であるストレッチマットの斜視図である。
【図２】図１のストレッチマットの側面図である。
【図３】図１のＡ−Ａ線に沿う断面図である。
【図４】枕とマット本体とを分離した状態を示す斜視図である。
【図５】図１のストレッチマットの使用態様を示す説明図である。
【図６】図１のストレッチマットの使用態様を示す説明図である。
【符号の説明】
【００２６】
１    ストレッチマット
２    枕
３    マット本体
２０    頭部支持面
２１    首部支持面
２３    先端部
２４    面ファスナ
３０    枕支持部
３１    背当て部
３２    面ファスナ
【図１】
2007159818.tif 000003
【図２】
2007159818.tif 000004
【図３】
2007159818.tif 000005
【図４】
2007159818.tif 000006
【図５】
2007159818.tif 000007
【図６】
2007159818.tif 000008
【手続補正書】
【提出日】平成18年1月30日(2006.1.30)
【手続補正１】
【補正対象書類名】明細書
【補正対象項目名】００１８
【補正方法】変更
【補正の内容】
【００１８】
前記背当て部３１の上面には、幅中央部を長さ方向に延びる溝３３が形成されている。この溝３３は、図６に示すように、使用者５の背骨５３がマット本体３の表面に当たらないように逃がすためのものである。